(57)【要約】【課題】  流通過程において中間流通業者がラベルを貼り付ける作業を簡便に行うことができる記録媒体用カートリッジの梱包構造を提供する。【解決手段】  長方体形状を有し、外面の１つにラベルを貼り付けるためのラベル貼付部６が形成されたカートリッジ１を複数結束させてなる梱包体１０を備え、複数のカートリッジ１がそれぞれ、ラベル貼付部６を全て同じ方向に向けた状態で、且つ、ラベル貼付部６をそれぞれ露呈させた状態で結束部材１１によって一体に梱包されている。【選択図】  図１
2005306433.tif 000002
【特許請求の範囲】
【請求項１】
長方体形状を有し、外面の１つにラベルを貼り付けるためのラベル貼付部が形成されたカートリッジを複数結束させてなる梱包体を備え、前記複数のカートリッジがそれぞれ、前記ラベル貼付部を全て同じ方向に向けた状態で、且つ、前記ラベル貼付部をそれぞれ露呈させた状態で結束部材によって一体に梱包されていることを特徴とするカートリッジの梱包構造。
【請求項２】
前記結束部材が帯形状を有し、前記梱包体における前記ラベル貼付部が形成された面以外の面に巻き付けられていることを特徴とする請求項１に記載のカートリッジの梱包構造。
【請求項３】
前記結束部材が前記複数のカートリッジを覆うフィルムであり、前記フィルムには該複数のカートリッジの前記ラベル貼付部を露呈させるための開口部が設けられていることを特徴とする請求項１に記載のカートリッジの梱包構造。
【発明の詳細な説明】
【技術分野】
【０００１】
本発明は、磁気カートリッジなどの記録媒体用カートリッジの梱包構造に関する。
【背景技術】
【０００２】
従来、磁気カートリッジなどの記録媒体は、１個毎にプラスチック製のカートリッジケースに収容保持される。そして、各プラスチック製のカートリッジケースは、ラップフィルムによって包装する梱包構造が適用されている（例えば、特許文献１参照）。
【０００３】
【特許文献１】特開２００１−１９０８２号公報
【発明の開示】
【発明が解決しようとする課題】
【０００４】
しかし、上記従来の梱包構造を有する磁気カートリッジは、流通過程において中間流通業者が顧客の要求に応じてラベルを貼り付ける場合がある。ラベルを貼り付ける際には、作業者は、それぞれのカートリッジケースを覆う包装をはがし、これらカートリッジケースからカートリッジを取り出す必要があることから作業が煩雑である。また、該カートリッジケースから解かれた包装が廃棄物となってしまう点で改善の余地があった。
【０００５】
本発明は、上記事情に鑑みてなされたもので、その目的は、流通過程において中間流通業者がラベルを貼り付ける作業を簡便に行うことができる記録媒体用カートリッジの梱包構造を提供することにある。
【課題を解決するための手段】
【０００６】
本発明の上記目的は、長方体形状を有し、外面の１つにラベルを貼り付けるためのラベル貼付部が形成されたカートリッジを複数結束させてなる梱包体を備え、複数のカートリッジがそれぞれ、ラベル貼付部を全て同じ方向に向けた状態で、且つ、ラベル貼付部をそれぞれ露呈させた状態で結束部材によって一体に梱包されていることを特徴とするカートリッジの梱包構造によって達成される。
【０００７】
上記のカートリッジの梱包構造によれば、複数のカートリッジは、それぞれラベル貼付部を露呈させた状態で結束部材により一体に梱包されているため、流通過程において、結束部材を外してカートリッジ同士をばらすことなく、また、ケースから取り出すといった手間をかけることなく、ラベルの貼り付ける作業を行うことができる。このため、流通過程の中間における、ラベルの貼り付けなどの作業が簡便であり、使い勝手が良い。また、結束部材を解かずに作業が行えるため、廃棄物が発生することを防止することができる。
【０００８】
上記カートリッジの梱包構造は、結束部材が帯形状を有し、梱包体におけるラベル貼付部が形成された面以外の面に巻き付けられていることが好ましい。こうすれば、結束部材を複数のカートリッジに巻き回すといった簡単な構造で該複数のカートリッジの梱包体を得ることができ、また、結束部材がラベル貼付部を覆い隠すことがないため、ラベルを貼り付ける作業を行う際に、かかる作業が結束部材によって妨げられてしまうことを回避できる。
【０００９】
上記カートリッジの梱包構造は、結束部材が複数のカートリッジを覆うフィルムであり、フィルムには該複数のカートリッジのラベル貼付部を露呈させるための開口部が設けられていることが好ましい。こうすれば、複数のカートリッジをフィルムによって一体に結束させた際に、該フィルムの開口部から各ラベル貼付部が露出した状態となり、ラベルを貼り付ける作業を行う際に、かかる作業が結束部材によって妨げられてしまうことを回避できる。
【発明の効果】
【００１０】
本発明によれば、流通過程において中間流通業者がラベルを貼り付ける作業を簡便に行うことができる記録媒体用カートリッジの梱包構造を提供できる。
【発明を実施するための最良の形態】
【００１１】
以下、本発明の実施形態を図面に基づいて詳しく説明する。
図１は本発明に係る、カートリッジの梱包構造を有する梱包体の第１の実施形態を示す斜視図である。
梱包体１０は、複数のカートリッジ１を同じ向きに重ね合わせて結束させた構造を有している。梱包体１０として一体に結束されるカートリッジ１の数は、本実施形態において５個としてが、特に限定されず、例えば、複数であれば２個から４個でもよいし、６個以上としてもよい。
【００１２】
カートリッジ１はそれぞれ、長方体形状を有し、外面の１つにラベルを貼り付けるためのラベル貼付部６が形成されている。具体的には、カートリッジ１は、略正方形状の上面及び下面と長方形状の側面とを有し、側面の１つにラベル貼付部６が形成されている。
【００１３】
ここで、本発明にかかるカートリッジとは、主に、記録媒体用のカートリッジであり、磁気テープを記録媒体とするものの場合には、例えば、コンピュータのデータバックアップやＶＴＲに使用する磁気テープカートリッジであり、磁気ディスクを記録媒体とするものの場合には、例えば、フロッピーディスク，コンパクトディスク，ミニディスクである。なお、以下の実施形態においては、カートリッジの一例として１リール型の磁気テープカートリッジを用いて説明するが、特にこれに限定されない。
【００１４】
ラベルとは、記録媒体に書き込まれた記録情報の内容について視覚的に確認する目的で、又は、各カートリッジを識別する目的で、カートリッジに貼り付けた際に外側に向く面に、文章，番号，記号又は図形が書き込まれる部分を有するシート状のものである。
【００１５】
本実施形態の梱包体１０は、外面の１つである側面４ｃにラベルを貼り付けるためのラベル貼付部６が形成されたカートリッジ１同士を、側面４ｃをいずれも同じ向きに向けた状態でそれぞれ重ね合わせている。そして、複数のカートリッジ１同士を、帯形状を有する結束部材１１で互いに結束させている。このとき、結束部材１１は、結束されるカートリッジ１においてラベル貼付部６が形成された側面４ｃ以外の面に巻き付けられている。本実施形態では、結束部材１１は、ラベル貼付部６が形成された側面４ｃに対してそれぞれ垂直な面である梱包体１の周面に巻き付けられている。本実施形態では、梱包体１の周面は、側面４ａと、該側面４ａと平行な面と、図１において上端に位置するカートリッジ１の上面と、下端に位置するカートリッジ１の下面とからなる。
【００１６】
本発明に係るカートリッジ１の梱包構造によれば、複数のカートリッジ１は、それぞれラベル貼付部６を露呈させた状態で結束部材１１により一体に梱包されているため、流通過程において、結束部材１１を外してカートリッジ１同士をばらすことなく、また、従来のようにケースから取り出すといった手間をかけることなく、ラベルの貼り付ける作業を行うことができる。このため、流通過程の中間における、ラベルの貼り付けなどの作業が簡便であり、使い勝手が良い。また、結束部材１１を解かずに作業が行えるため、廃棄物が発生することを防止することができる。
【００１７】
また、上記第１の実施形態のように、結束部材１１が帯形状を有し、梱包体１０におけるラベル貼付部６が形成された面（側面４ｃ）以外の面に巻き付けられているとすれば、結束部材１１を複数のカートリッジ１に巻き回すといった簡単な構造で該複数のカートリッジ１の梱包体１０を得ることができ、また、結束部材１１がラベル貼付部６を覆い隠すことがないため、ラベルを貼り付ける作業が結束部材１１によって妨げられてしまうことを回避できる。
【００１８】
本実施形態において、帯形状の結束部材１１を１本巻き付ける構成としたが、結束部材１１がラベル貼付部６を覆い隠すことがない範囲で、帯形状の結束部材１１を複数本巻き付けるによってカートリッジ１を一体に結束させてもよい。
【００１９】
図２は、本発明に係る、カートリッジの梱包構造を有する梱包体の第２の実施形態を示す斜視図である。なお、以下に説明する実施形態において、すでに説明した部材などと同等な構成・作用を有する部材等については、図中に同一符号又は相当符号を付すことにより、説明を簡略化或いは省略する。
【００２０】
本実施形態の梱包体２０は、外面の１つである側面４ｃにラベルを貼り付けるためのラベル貼付部６が形成されたカートリッジ１同士を、側面４ｃをいずれも同じ向きに向けた状態でそれぞれ重ね合わせている点で上記第１の実施形態と共通する。
【００２１】
本実施形態の梱包体２０は、複数のカートリッジ１同士を結束させる結束部材としてフィルム２１を使用している。フィルム２１は重ね合わされた複数のカートリッジ１全体を覆うことでこれらカートリッジ１を一体に梱包している。本実施形態のフィルム２１として、例えば、ラップフィルム，シュリンクフィルムを使用することができる。
【００２２】
フィルム２１には開口部２１ａが設けられ、複数のカートリッジ１を梱包した状態で、該開口部２１ａから各カートリッジ１のラベル貼付部６がフィルム２１の外側に露呈するように構成されている。このとき、ラベル貼付部６にラベルを貼り付ける際に、開口部２１ａの縁部のフィルム２１が、貼り付け作業の妨げとならないように、側面４ｃにおいてラベル貼付部６を除いた部位を覆うように形成されている。
【００２３】
本実施形態のカートリッジの梱包構造によれば、複数のカートリッジ１をフィルム２１によって一体に結束させた際に、該フィルム２１の開口部２１ａから各ラベル貼付部６が露出した状態となり、ラベルを貼り付ける作業を行う際に、かかる作業が結束部材（フィルム２１）によって妨げられてしまうことを回避できる。また、本実施形態のように梱包構造のように、結束部材であるフィルム２１で複数のカートリッジ１全体を覆う構成とすれば、塵埃がカートリッジに直接付着してしまうことを防ぎ、防塵性を向上させることができる。
【００２４】
梱包体２０における、複数のカートリッジ１のラベル貼付部６以外の面が全てフィルム２１で覆われることから、上記第１の実施形態のように複数のカートリッジ１を帯形状の結束部材１１で結束させる構成と比較して各カートリッジの結束が解けにくく、流通過程において取り扱い易い。
【００２５】
さらに、上記実施形態で説明したカートリッジの梱包構造の効果について、図３を参照して説明する。
図３は、カートリッジの梱包体を箱に梱包する状態を示す説明図である。
図３に示すように、箱１００は、ダンボール等で構成された長方体形状の本体１０１を有し、該本体１０１の上面が開閉可能で、内部の収容空間１０２に、梱包体を収容させることができる。
【００２６】
箱１００の収容空間１０２に、上記実施形態の梱包体１０又は梱包体２０を、磁気カートリッジ１のラベル貼付面６を上方に向けた状態、つまり、箱１００の本体１０１の上面側に向けた状態で収容する。こうすれば、流通過程において、カートリッジ１の梱包体１０（又は梱包体２０）を箱１００に収容させて取り扱うことができるとともに、箱１００の上面を開ければ、各カートリッジ１を取り出すことなく、ラベル貼付部６にラベルを貼り付ける作業を行うことができる。
【図面の簡単な説明】
【００２７】
【図１】本発明に係る、カートリッジの梱包構造を有する梱包体の第１の実施形態を示す斜視図である。
【図２】本発明に係る、カートリッジの梱包構造を有する梱包体の第２の実施形態を示す斜視図である。
【図３】カートリッジの梱包体を箱に梱包する状態を示す説明図である。
【符号の説明】
【００２８】
１    カートリッジ
６    ラベル貼付部
１０，２０  梱包体
１１，２１    結束部材
【図１】
2005306433.tif 000003
【図２】
2005306433.tif 000004
【図３】
2005306433.tif 000005